(57)【要約】      （修正有）【課題】飲料容器を収容していないときは薄くなり、かつ、飲料容器を収容するときには飲料容器の収容空間を簡単操作のみで出現する飲料容器ホルダを提供する。【解決手段】前胴と後胴との間に挟まれ、当該前胴又は後胴と縫着した各々の側面構成布と、対応する各々の側面構成布どうしを接合するスライドファスナと、当該スライドファスナ上を移動するスライダとを備え、当該スライダを当該側面構成布の左側面から上面、右側面、底面、そして左側面へと連続して移動することによりマチが増大する。【選択図】図２
0003156545.tif 000002
【実用新案登録請求の範囲】
【請求項１】
少なくとも前胴と後胴とを有し当該前胴及び後胴が長方形状である飲料容器ホルダにおいて、
前胴と後胴との間に挟まれ、当該前胴又は後胴と縫着した各々の側面構成基材と、
対応する各々の側面構成基材どうしを接合するスライドファスナと、
当該スライドファスナ上を移動するスライダと、
を備え、
当該スライダを当該側面構成基材の一方の長辺から一方の短辺、他方の長辺、他方の短辺、そして一方の長辺へと連続して移動することによりマチが増大すること、
を特徴とする飲料容器ホルダ。
【請求項２】
請求項１の飲料容器ホルダを縫着したかばん。
【請求項３】
請求項１の飲料容器ホルダを縫着した衣類。
【考案の詳細な説明】
【技術分野】
【０００１】
本願考案は、マチ幅が増減する飲料容器ホルダに関するものである。
【背景技術】
【０００２】
飲料容器の形状は、太さ・長さ・容量など様々であり、そのため飲料容器ホルダにおいても様々な工夫がなされてきている。従来技術の中には、異なるサイズ（長さ）の飲料容器を収容する目的で、全長が増大するペットボトルホルダの考案も存在する（特許文献１）。
【先行技術文献】
【特許文献】
【０００３】
【特許文献１】実用新案登録第３０９４８１６号公報
【考案の概要】
【考案が解決しようとする課題】
【０００４】
飲料容器の厚み（太さ）については、必ず一定以上の厚み（太さ）があるため飲料容器ホルダも一定以上の厚みにならざるを得なかった。
【０００５】
しかしながら、飲料容器ホルダの厚みについては、飲料容器を収容していないとき（例えば、飲料を飲み終え飲料容器を破棄した後など）は、薄くなった方が便利である。
【０００６】
つまり本願考案が解決しようとする課題は、飲料容器を収容していないときは薄くなり、かつ、飲料容器を収容するときには飲料容器の収容空間を簡単操作のみで出現する飲料容器ホルダを提供することである。
【課題を解決するための手段】
【０００７】
上記の課題を解決するために、少なくとも前胴と後胴とを有し当該前胴及び後胴が長方形状である飲料容器ホルダにおいて、前胴と後胴との間に挟まれ、当該前胴又は後胴と縫着した各々の側面構成基材と、対応する各々の側面構成基材どうしを接合するスライドファスナと、当該スライドファスナ上を移動するスライダと、を備え、当該スライダを当該側面構成基材の一方の長辺から一方の短辺、他方の長辺、他方の短辺、そして一方の長辺へと連続して移動することによりマチが増大すること、を特徴とする飲料容器ホルダ及び当該飲料容器ホルダを縫着した衣類並びに当該飲料容器ホルダを縫着したかばんを提供する。
【考案の効果】
【０００８】
本願考案の飲料容器ホルダによれば、スライドファスナ上のスライダを所定の距離だけ移動することにより、飲料容器を収容する空間が出現し、その飲料容器収容空間に飲料容器を収容することができる。つまり、飲料容器を収容していないときは飲料容器の厚み（太さ）よりも薄い飲料容器ホルダでありながら、簡単なスライダ操作のみで当該飲料容器を収容することが可能となる。
【０００９】
また、本願考案の衣類によれば、スライドファスナのスライダを所定の距離だけ移動することにより、飲料容器を収容する空間が出現し、その飲料容器収容空間に飲料容器を収容することができる。つまり、飲料容器を収容していないときは飲料容器の厚み（太さ）よりも薄い飲料容器ホルダでありながら、簡単なスライダ操作のみで当該飲料容器を収容することが可能となる。
【００１０】
また、本願考案のかばんによれば、スライドファスナのスライダを所定の距離だけ移動することにより、飲料容器を収容する空間が出現し、その飲料容器収容空間に飲料容器を収容することができる。つまり、飲料容器を収容していないときは飲料容器の厚み（太さ）よりも薄い飲料容器ホルダでありながら、簡単なスライダ操作のみで当該飲料容器を収容することが可能となる。
【図面の簡単な説明】
【００１１】
【図１】飲料容器ホルダの閉じた状態（全閉）を示す図である。
【図２】飲料容器ホルダの開いた状態（全開）を示す図である。
【図３】飲料容器ホルダの一部を開いた状態を示す図である。
【図４】飲料容器ホルダをかばんの正面に縫着したかばんを示す図である。
【図５】飲料容器ホルダをズボンの右側に縫着したズボンを示す図である。
【考案を実施するための形態】
【００１２】
本願考案にかかる飲料容器ホルダを、衣類等のベルトに係止して使用する。
【実施例１】
【００１３】
実施例１は、衣類のベルト等に係止するための係止具を備えた飲料容器ホルダ（１）を示したものであり、図１に従いその構成を説明する。
【００１４】
飲料容器ホルダ（１）は、前胴（１１）と、後胴（１２）と、当該前胴（１１）と当該後胴（１２）との間に挟まれ、当該前胴（１１）又は当該後胴（１２）と縫着した各々の側面構成布（１３）と、対応する各々の側面構成布（１３）どうしを接合するスライドファスナ（１４）と、当該スライドファスナ（１４）上を移動するスライダ（１５）と、当該後胴（１２）の表面で縫着した係止具（１６）とで構成する。
【００１５】
なお、前記前胴（１１）及び前記後胴（１２）の素材として布を使用しているが、飲料容器ホルダ（１）としての機能を満たせば代替の素材も使用可能である。
【００１６】
なお、前記側面構成布（１３）の素材として布を使用しているが、飲料容器ホルダ（１）としての機能を満たせば代替の素材も使用可能である。
【００１７】
なお、前記係止具（１６）は、飲料容器ホルダ（１）自身を衣類のベルト等に係止できるものであれば他の形状及び構造の係止具も使用可能である。
【００１８】
当該飲料容器ホルダ（１）の使用動作を図１〜図３に従い説明する。
【００１９】
飲料容器（４）を収容する前の当該飲料容器ホルダ（１）は、図１に示すとおりである。
【００２０】
スライドファスナ（１４）上のスライダ（１５）を、側面構成布（１３）の左側面から上面、右側面、底面、そして左側面へと連続して（図１に示す位置から図２に示す位置まで）移動（前開）することにより、当該飲料容器ホルダ（１）のマチ幅が増大し、飲料容器収容空間が出現する。
【００２１】
出現した飲料容器収容空間に、当該飲料容器（４）を収容する。
【００２２】
また、飲料容器（４）を破棄した後は、前記スライダ（１５）を、前記側面構成布（１３）の左側面から底面、右側面、上面、そして左側面へと連続して（図２に示す位置から図１に示す位置まで）移動（全閉）することにより、前記飲料容器ホルダ（１）のマチ幅が減少し、飲料容器収容空間が消滅する。
【００２３】
なお、前記スライダ（１５）を、前記側面構成布（１３）の左側面から上面、右側面の中ほどまで連続して（図１に示す位置から図３に示す位置まで）移動（一部開口）することで、携帯電話（５）の様な薄い物品を収容及び取出しすることもできる。
【００２４】
なお、一般的な３５０ｍｌ又は５００ｍｌの飲料容器（４）を収容する場合、マチ幅が５．５ｃｍ程度、高さが１３．５ｃｍ程度にすることが望ましい。
【実施例２】
【００２５】
実施例２は、飲料容器ホルダをかばんの正面に縫着したかばん（２）である。図４に従いその構成を説明する。
【００２６】
飲料容器ホルダをかばんの正面に縫着したかばん（２）は、前胴（１１）と、後胴（１２）と、当該前胴（１１）と当該後胴（１２）との間に挟まれ、当該前胴（１１）又は当該後胴（１２）と縫着した各々の側面構成布（１３）と、対応する各々の側面構成布（１３）どうしを接合するスライドファスナ（１４）と、当該スライドファスナ（１４）上を移動するスライダ（１５）とからなる飲料容器ホルダ（２１）と、かばん（２２）とで構成する。
【００２７】
使用動作については、実施例１と同様であるので省略する。
【００２８】
実施例３は、飲料容器ホルダをズボンの右側に縫着したズボン（３）である。図５に従いその構成を説明する。
【００２９】
飲料容器ホルダを縫着したズボン（２）は、前胴（１１）と、後胴（１２）と、当該前胴（１１）と当該後胴（１２）との間に挟まれ、当該前胴（１１）又は当該後胴（１２）と縫着した各々の側面構成布（１３）と、対応する各々の側面構成布（１３）どうしを接合するスライドファスナ（１４）と、当該スライドファスナ（１４）上を移動するスライダ（１５）とからなる飲料容器ホルダ（３１）と、ズボン（３２）とで構成する。
【００３０】
使用動作については、実施例１と同様であるので省略する。
【産業上の利用可能性】
【００３１】
本願考案は、簡易な構成でありながら、利便性が飛躍的に向上する飲料容器ホルダを提供しているので産業上の利用可能性を有する。
【符号の説明】
【００３２】
１          飲料容器ホルダ
１１        前胴
１２        後胴
１３        側面構成布
１４        スライドファスナ
１５        スライダ
１６        係止具
２          飲料容器ホルダをかばんの正面に縫着したかばん
２１        飲料容器ホルダ
２２        かばん
３          飲料容器ホルダをズボンの右側に縫着したズボン
３１        飲料容器ホルダ
３２        ズボン
４          飲料容器
５          携帯電話
【図１】
0003156545.tif 000003
【図２】
0003156545.tif 000004
【図３】
0003156545.tif 000005
【図４】
0003156545.tif 000006
【図５】
0003156545.tif 000007